(57)【特許請求の範囲】
【請求項１】
包装材であって、フィルムを含み、このフィルムはそれを少なくとも部分的に横断する複数の補強開封帯を有し、各開封帯は、タブ部を含み、包装材は、第１の開封帯のタブ部を引っ張ることによってフィルムの破断を伝播させて第１開封帯に付着しているフィルムの第１部分をフィルムの残りの部分から分離させ、第２開封帯のタブ部を引っ張ることによってフィルムの第２の破断を伝播させて第２開封帯に付着したフィルムの第２部分を画定するように構成され、第２開封帯に付着したフィルムの第２部分は、第１部分が第１開封帯と共に取り除かれると、フィルムの残りの部分を含む包装材。
【請求項２】
前記タブ部および第１および第２開封帯は、各開封帯の破断がそれぞれのタブ部が引っ張られる際にフィルムに生じ、互いに実質的に反対方向に延びるように構成されていることを特徴とする請求項１記載の包装材。
【請求項３】
前記フィルムは、第１側部およびこれと反対の第２側部を含み、前記補強開封帯は、フィルムの第１および第２側部の１つから延びていることを特徴とする請求項１または２記載の包装材。
【請求項４】
前記第１および第２開封帯のタブ部は、フィルムの対向側部に位置して、各開封帯の破断がそれぞれのタブ部を引っ張ったときにフィルムに生じ、互いに実質的に反対方向に延びていることを特徴とする請求項３記載の包装材。
【請求項５】
脆弱化された線が第１および第２開封帯の間でフィルムに形成されていることを特徴とする請求項１乃至４いずれか１項記載の包装材。
【請求項６】
各タブ部が切り込みによって各フィルム縁部から区切られていることを特徴とする請求項１乃至５いずれか１項記載の包装材。
【請求項７】
前記開封帯はフィルムに接着されていることを特徴とする請求項１乃至６いずれか１項記載の包装材。
【請求項８】
請求項１乃至７いずれか１項記載の包装材に包まれた少なくとも１つの容器を含むパッケージ。
【請求項９】
たばこ産業製品および／または紙巻きタバコ用パッケージであることを特徴とする請求項８記載のパッケージ。
【請求項１０】
パッケージ用の包装材を製造するための装置であって、この装置はフィルム供給部および補強開封帯供給部と、フィルムおよび開封帯材を共に供給して、開封帯材の２つの別個の部分をフィルムに固定する一組のローラーと、１つ以上の切断ナイフとを含み、このナイフは、フィルムがナイフを通って搬送させる際に開封帯とフィルムに間欠的に切れ目を形成するように構成され、さらに切断ナイフは、フィルムの横方向に直線状の切れ目を形成し、フィルムを個々の包装材に分割し、さらに直線状の切れ目に近いところで開封帯にタブ部の切れ目を形成し、各包装材の各開封帯の一端にタブ部を画定する装置。
【請求項１１】
前記フィルム供給部は、装置に供給される連続したフィルムの帯のボビンを含むことを特徴とする請求項１０記載の装置。
【請求項１２】
前記開封帯材の供給部は、装置に供給される開封帯材の連続したリボンのボビンを１つ以上含むことを特徴とする請求項１０または１１記載の装置。
【請求項１３】
スプライシングブレードをさらに含み、前記開封帯材の連続したリボンは、このスプライシングブレードに供給され、フィルムに固定される前に複数の開封帯に切断されることを特徴とする請求項１２記載の装置。
【請求項１４】
対の開封帯をフィルムに沿って平行にかつ互いに横方向に間隔をおいて供給するように構成されていることを特徴とする請求項１２または１３記載の装置。
【請求項１５】
開封帯の縁部を横断して開封帯に隣接するフィルムに延びたタブ部の切れ目を形成するように構成されていることを特徴とする請求項１０乃至１４いずれか１項記載の装置。
【請求項１６】
開封帯に隣接するフィルムの領域のタブ部の切れ目と交差するが、開封帯に延びていない直線状の切れ目を形成するように構成されていることを特徴とする請求項１５記載の装置。
【請求項１７】
パッケージ用の包装材の製造方法であって、フィルムに補強開封帯材からなる２つの個別の部分を貼り付けることと、フィルムの横方向に直線状の切れ目を形成し、フィルムを個別の包装材に分割することと、これら直線状の切れ目に近くで開封帯にタブ部用の切れ目を形成し、各包装材の各開封帯の一端にタブ部を画定することとを含む方法。
【請求項１８】
ボビンからフィルムの連続した帯としてフィルムを供給することを含むことを特徴とする請求項１７記載の方法。
【請求項１９】
１つ以上のボビンから開封帯材の連続したリボンとして上記開封帯の部分を供給することを含むことを特徴とする請求項１７または１８記載の方法。
【請求項２０】
スプライシングブレードに開封帯材の連続したリボンを供給することによって補強開封帯材の個々の部分を形成することと、このスプライシングブレードを使用して開封帯材の連続したリボンを補強開封帯材の複数の部分に切断することとを含むことを特徴とする請求項１９記載の方法。
【請求項２１】
開封帯をフィルムに沿って平行にかつ互いに横方向に間隔をおいて供することを含むことを特徴とする請求項１９または２０記載の方法。
【請求項２２】
開封帯の縁部を横断し、開封帯に隣接するフィルムに延びたタブ部の切れ目を形成することを含むことを特徴とする請求項１７乃至２１いずれか１項記載の方法。
【請求項２３】
開封帯に隣接するフィルムの領域のタブ部の切れ目と交差するが、開封帯に延びていない直線状の切れ目を形成することを含むことを特徴とする請求項２２記載の方法。
【発明の詳細な説明】
【技術分野】
【０００１】
本発明は、パッケージおよび特にパッケージ用包装材およびそのようなパッケージを含むパッケージに関する。
【背景技術】
【０００２】
パッケージは、パッケージを最初に開口する際に取り除かれる封止された外方包装材を含むものが知られている。このような包装材は、包装材を外しやすくし、包装材を２つに分ける開封帯を含み、包装材の少なくとも一方がパッケージから取り除かれる。開封帯は、分離した包装材の一方に付着して、その包装材がパッケージから取り除かれ、もう一方の包装材部分がパッケージの一部に亘って所定の場所に残るようにしてもよい。
【発明の概要】
【０００３】
本発明のいくつかの実施態様では包装材が提供され、この包装材はフィルムを含み、このフィルムはそれを少なくとも部分的に横断する複数の補強開封帯を有し、各開封帯は、タブ部を含み、包装材は、第１の開封帯のタブ部を引っ張ることによってフィルムの破断を伝播させて第１開封帯に付着しているフィルムの第１部分をフィルムの残りの部分から分離させ、第２開封帯のタブ部を引っ張ることによってフィルムの第２の破断を伝播させて第２開封帯に付着したフィルムの第２部分を画定するように構成され、第２開封帯に付着したフィルムの第２部分は、第１部分が第１開封帯と共に取り除かれると、フィルムの残りの部分を含む。
【０００４】
タブ部および第１および第２開封帯は、各開封帯の破断がそれぞれのタブ部が引っ張られる際にフィルムに生じ、互いに実質的に反対方向に延びるように構成してもよい。
【０００５】
フィルムは、第１側部およびこれと反対の第２側部を含んでもよく、補強開封帯は、フィルムの第１および第２側部の１つから延びている。
【０００６】
第１および第２開封帯のタブ部は、フィルムの対向側部に位置して、各開封帯の破断がそれぞれのタブ部を引っ張ったときにフィルムに生じ、互いに実質的に反対方向に延びるようにしてもよい。
【０００７】
脆弱化された線を第１および第２開封帯の間でフィルムに形成してもよい。
【０００８】
各タブ部が切り込みによって各フィルム縁部から区切られてもよい。
【０００９】
開封帯はフィルムに接着されてもよい。
【００１０】
また本発明は、上述の包装材に包まれた少なくとも１つの容器を含むパッケージを提供する。本発明のパッケージは、たばこ産業製品および／または紙巻きタバコ用パッケージであってもよい。
【００１１】
また本発明は、パッケージ用の包装材を製造するための装置を提供し、この装置はフィルム供給部および補強開封帯供給部と、フィルムおよび開封帯材を共に供給して、開封帯材の２つの別個の部分をフィルムに固定する一組のローラーと、１つ以上の切断ナイフとを含み、このナイフは、フィルムがナイフを通って搬送させる際に開封帯とフィルムに間欠的に切れ目を形成するように構成され、さらに切断ナイフは、フィルムの横方向に直線状の切れ目を形成し、フィルムを個々の包装材に分割し、さらに直線状の切れ目に近いところで開封帯にタブ部の切れ目を形成し、各包装材の各開封帯の一端にタブ部を画定する。
【００１２】
フィルム供給部は、装置に供給される連続したフィルムの帯のボビンを含んでもよい。
【００１３】
開封帯材の供給部は、装置に供給される開封帯材の連続したリボンのボビンを１つ以上含んでもよい。
【００１４】
本発明の装置は、スプライシングブレードをさらに含んでもよく、開封帯材の連続したリボンは、このスプライシングブレードに供給され、フィルムに固定される前に複数の開封帯に切断される。
【００１５】
本発明の装置は対の開封帯をフィルムに沿って平行にかつ互いに横方向に間隔をおいて供給するように構成されてもよい。
【００１６】
本発明の装置は、開封帯の縁部を横断して開封帯に隣接するフィルムに延びたタブ部の切れ目を形成するように構成されてもよい。
【００１７】
本発明の装置は、開封帯に隣接するフィルムの領域のタブ部の切れ目と交差するが、開封帯に延びていない直線状の切れ目を形成するように構成されてもよい。
【００１８】
また本発明は、パッケージ用の包装材の製造方法を提供し、フィルムに補強開封帯材からなる２つの個別の部分を貼り付けることと、フィルムの横方向に直線状の切れ目を形成し、フィルムを個別の包装材に分割することと、これら直線状の切れ目の近くで開封帯にタブ部用の切れ目を形成し、各包装材の各開封帯の一端にタブ部を画定することとを含む。
【００１９】
本発明の方法は、ボビンからフィルムの連続した帯としてフィルムを供給することを含んでもよい。
【００２０】
本発明の方法は、１つ以上のボビンから開封帯材の連続したリボンとして上記開封帯の部分を供給することを含んでもよい。
【００２１】
本発明の方法は、スプライシングブレードに開封帯材の連続したリボンを供給することによって補強開封帯材の個々の部分を形成することと、このスプライシングブレードを使用して開封帯材の連続したリボンを補強開封帯材の複数の部分に切断することとを含む。
【００２２】
本発明の方法は、開封帯をフィルムに沿って平行にかつ互いに横方向に間隔をおいて供することを含んでもよい。
【００２３】
本発明の方法は、開封帯の縁部を横断し、開封帯に隣接するフィルムに延びたタブ部の切れ目を形成することを含んでもよい。
【００２４】
本発明の方法は、開封帯に隣接するフィルムの領域のタブ部の切れ目と交差するが、開封帯に延びていない直線状の切れ目を形成することを含んでもよい。
【００２５】
本発明の種々の実施態様を添付図面を参照し、あくまで例示を目的として説明する。
【図面の簡単な説明】
【００２６】
【図１】部分的に剥がされた包装材を含むパックを示す。
【図２】第１の開封帯の一部が取り除かれた図１のパックを示す。
【図３】フィルム包装材の第１開封帯と上部が取り除かれた図１および２のパックを示す。
【図４】本発明の第１の実施態様の包装材を含むパックとパックの一部を拡大して示した図。
【図５】図１〜図３で示す包装材を製造し、この包装材でパッケージを包装するための装置の略図である。
【図６】製造工程途中の図１〜図３で示す包装材の一部の第１の図である。
【図７】製造工程途中の図１〜図３で示す包装材の一部の第２の図である。
【図８】図５の装置の第１切断ローラーを示す。
【図９】図５の装置の第２切断ローラーを示す。
【発明を実施するための形態】
【００２７】
情報開示の目的のみのために、包装材４０を含むパックを図１に示し、これはパック１の１つの側壁２で重なり、その重なった部分で熱封止される第１および第２側部４３、４４を有するフィルム４１を含む。フィルム４１は、互いに平行でかつ小さい間隔をおいてパック１の周囲に延びた２つの開封帯４２ａ、４２ｂを含む。２つの開封帯４２ａ、４２ｂは、フィルム４１に永久的に接着され、フィルム４１の第１側部４３から反対の第２側部４４へと延び、フィルム４１とパック１の間に配される。２つの開封帯４２ａ、４２ｂは、それぞれ一端にタブ部４５ａ、４５ｂを有し、これらはその下に位置するフィルム４１に接着してなく、それらがタブ部周囲の切れ目によって取り付けられているフィルムの周囲から輪郭が形成されている。
【００２８】
包装材４０は、ユーザーがパック１の内容物を取り出したいと思ったとき、取り除かれなければならない。第１部分を取り除く工程を図２および３に示す。ユーザーは、パック１の周囲から外れている(図２に示す)第１開封帯４２ａのタブ部４５ａを引っ張り、フィルム４１を開口部で破断させ、フィルム４１を上部４１ａおよび下部４１ｂに分離させる。第１開封帯４２ａは、フィルム４１に永久的に付着しているので、フィルム４１の下部４１ｂ及び第２開封帯４２ｂをパック１に残したまま、フィルム４１の上部４１ａが第１開封帯４２ａと共にパック１から剥がれる（図３を参照のこと）。ユーザーはその後第２開封帯４２ｂのタブ部４５ｂをパック１から離れるように引っ張り、まずフィルム４１を破断させ、第２開封帯と共にフィルム４１の下部４１ｂをパック１から引き剥がす。
【００２９】
図示の実施態様ではフィルム４１は、開封帯４２ａ、４２ｂの間またはこれらに隣接してフィルム４１を破断しやすくする脆弱化された線を全く含まない。これにより、よりきれいな外観がパッケージに付与されると共に、使用時に包装材を取り除く間、フィルム４１の破断がタブ部４５ａ、４５ｂの周囲の切れ目から通常広がり、開封帯４２ａ、４２ｂに隣接するフィルム４１を通って破断し続ける。これとは別にフィルム４１は、包装材を取り除く際にフィルム４１の破断を案内するために開封帯４２ａ、４２ｂの間またはこれらに隣接して延びた脆弱化された線、例えば型打ちされた、エンボス加工された、刻みが付けられたまたは穿孔された線などを設けてもよい。
【００３０】
包装材４０は、包装材を剥がす際に所望の方向に破断させやすくするために配向フィルムを含んでもよい。これは、特定の方向に強度が増した内部構造を有するように製せられたフィルムである。配向フィルムは、一方向に比較的容易に破断させることができ、且つこのような破断がフィルム全体に亘って直線状に伝播するが、破断が概ねこの線からずれることがなく、他の如何なる方向にもより高い耐破断性を示す配向性フィルムであってもよい。従って、配向性フィルムを用いることにより、刻み目または切り込みから伝播した破断が容易に直線状の経路を辿ってパックの周囲を周回するようになる。
【００３１】
ここで図４を参照すると、喫煙品のパッケージ１を包む本発明の第１の実施態様の包装材６０が示されており、図１〜図３を参照して上述した包装材４０と類似しており、同じように互いに平行でかつ小さい間隔をおいてパック１の周囲に延びた２つの開封帯６２ａ、６２ｂを有するフィルム６１を含み、２つの開封帯は、Ｖ字状の中央に位置する刻み目６７で合わさる１つの離れた端部にそれぞれタブ部６５ａ、６５ｂを有する。しかしながら、タブ部６５ａ、６５ｂは、フィルム６１の縁部６３に形成され、開封帯６２ａ、６２ｂの幅より広い幅を有する。中央の刻み目６７から各タブ部６５ａ、６５ｂの反対の側のフィルム６３の縁部は、さらに外方の刻み目６８を含む。フィルム６１は、中央の刻み目６７から延び、２つの開封帯６２ａ、６２ｂの間でパック１の周囲で延びる脆弱化された線６６を含み、これはミシン目、分割線またはフィルム６１の材料を薄くすることによって得られる線であってもよい。
【００３２】
パック１から包装材６０を取り除くには第１タブ部６５ａをパック１から離れるように引っ張る。これによりフィルム６１の破断が第１タブ部６５ａの外方の刻み目６８からパック１の周囲に伝播し、フィルム６１の場合、脆弱化された線６６に沿って破断し、これによりフィルムの条片がこれに付着した第１開封帯６２ａと共にパック１の周囲から取り外される。フィルム６１の上部６１ａは、第１開封帯６２ａおよび付着したフィルム６１の条片と共にパック１から剥がれる。次に第２タブ部６１ｂが引っ張られ、フィルム６１の破断が第２タブ部６５ｂの外方の刻み目６８からパック１の周囲に伝播し、これによりフィルムの条片がこれに付着した第２開封帯６２ｂと共にパッケージの周囲から外れ、フィルム６１の残りの下方部分６１ｂが剥がれる。第１の実施態様の包装材６０の構成により、開封帯６２ａ、６２ｂを使用して包装材６０が２つの部分に完全にきれいにそして効率的にパック１から取り外される。またフィルム６１は上述した同じ理由で配向フィルムを含んでもよい。
【００３３】
図４には、パックを上から見たときに、開封帯６２ａ、６２ｂがパックの周囲を反時計回りに破断させるか、あるいはパックの前面（最初に破断が伝播するパックの主面）を横断して左から右に破断するように構成された包装材６０が示されている。しかしながら、当然のことながら本発明はこの特定の構成に限定されるものではなく、パックを上から見たときに、開封帯６２ａ、６２ｂがパックの周囲を時計回りに破断させることで、最初に破断が伝播するパックの主面を横断して破断が右から左に進行するように、上記と逆の構成とすることも等しく可能である。
【００３４】
喫煙品の単一のパックを包む包装材に関する本発明の実施形態を上に示して説明してきたが、このような本発明の包装材は、「剥き出し」又は箱入りのいずれかで束ねられた喫煙品の複数の包装品（例えば喫煙品の１０個又は２０個の包装品）の周囲や、ブリキ缶又は他の容器（例えばスヌースの容器）の周囲等の別の構成の包装品の周囲の外部包装材としても使用できるものである。さらに、このような本発明の包装材で包まれる１つ又は複数の容器は、必ずしも平行六面体形状である必要はなく、例えば円筒形容器等の他の形状を有してもよい。喫煙品の包装品用の包装材、又は種々の実施形態の外方包装材を有する喫煙品の包装として本発明の種々の実施形態が上に示されて説明されている。しかしながら、本発明はこのような用途に限定されるものではなく、他のあらゆる非タバコ産業での用途の包装材及び包装にも等しく適用可能であることが分かるであろう。
【００３５】
上記の実施形態では、包装材は、その重ね合わせ部が継ぎ目に沿って熱封着されるものとして説明されている。しかしながら、本発明はこのような封着手段に限定されるものではなく、糊や他の接着剤等の代替手段も本発明の範囲に含まれる。
【００３６】
上述の実施態様では 開封テープは、各フィルムに付着されるものとして説明されているが、本発明はこのような構造に限定されるものではなく、代わりに、開封テープは各フィルムに熱封着されてもよく、あるいは各フィルムへの他の封着手段を有してもよい。また、開封テープは、包装材がパックを包んだときの包装材の内側の面に設けられるものとして説明されているが、開封テープは、各包装材の外側にも等しく設けられてもよい。
【００３７】
上記の本発明の包装材のフィルム及び開封帯は、以下に限定されるものではないが、ポリプロピレン、ポリ塩化ビニル（ＰＶＣ）、酢酸セルロースフィルム、テレフタル酸ポリエチレン（ＰＥＴ）、ポリエチレン酸化物（ＰＥＯＸ）、ポリエチレン、セロファン、Natureflex（登録商標）又はポリ乳酸（ＰＬＡ）を含む種々の材料から製造してもよい。また、このような材料を組み合わせてフィルム／開封帯にそれぞれ用いてもよい。さらに、包装材に用いられるフィルム及び／又は開封帯の材料は、厚さが約２００ミクロン〜約４ミクロンのものであってもよい。
【００３８】
図１〜図３を参照して上述した包装材４０の製造装置３００が図１６に模式的に示されており、この製造装置３００は、フィルムボビン３０１、一対のテープアプリケーションローラー３０３、第１の一対の案内ローラー３０４、第１の一対の切断ローラー３０５、第２の一対の切断ローラー３０６、第２の一対の案内ローラー３０７および包装部３０８を含む。包装材４０は、２つの別個の開封帯４２ａ、４２ｂを含むので、装置３００は、第１および第２テープボビン３０２ａ、３０２ｂを含む 。
【００３９】
フィルム３０９の連続帯がフィルムボビン３０１からテープアプリケーションローラー３０３に供給されると共に、開封テープ３１０ａ、３１０ｂの連続帯がテープボビン３０２ａ、３０２ｂからテープアプリケーションローラー３０３に供給されることで、開封テープ３１０ａ、３１０ｂがフィルム３０９の帯に付着される。開封テープ３１０ａ、３１０ｂの一方の面に予め接着剤が塗布されていてもよく、あるいは接着剤をこの一方の面にテープボビン３０２ａ、３０２ｂとテープアプリケーションローラー３０３の間にある接着剤塗布部（図示略）で塗布してもよい。
【００４０】
図５の位置Ｐ３における、開封テープ３１０ａ、３１０ｂが付着された連続フィルム３０９の一部の図が図６に示されている。ここで開封テープ３１０ａ、３１０ｂの間隔を分かりやすくするために図１〜３開封テープ４２ａ、４２ｂの間隔と比べて誇張して示している。
【００４１】
テープアプリケーションローラー３０３を通過した後、フィルム３０９の帯がこのフィルム３０９の帯の装置３００への供給速度を制御する第１の１対の案内ローラー３０４を通過する。
【００４２】
フィルム３０９の帯は、刃付きローラー３０５ａと相対ローラー３０５ｂを含む第１の１対の切断ローラー３０５を通過する。図８に示す刃付きローラー３０５ａは、開封テープ３１０ａ、３１０ｂ及びフィルム３０９に切れ目３１２を形成する形状及び位置に設けられた１対のブレード３１１ａ、３１１ｂを含み、ブレード３１１ａ、３１１ｂは、概ねＣ字形の切れ目を形成するように構成されている。
【００４３】
その後、フィルム３０９の帯は、刃付きローラー３０６ａと相対ローラー３０６ｂを含む第２の１対の切断ローラー３０６を通過する。第２の刃付きローラー３０６ａは図９に示されており、この刃付きローラー３０６ａは、フィルム３０９の帯を横断して切断するように構成された一連の直線ブレード３１５を含む。切断部３１６は、フィルム３０９の帯を横断して延びるが、フィルム３０９の両側に小さい非切断片領域３１７を残す。また、ブレード３１５は、タブ部領域４５ａ、４５ｂを横切って切断しないように構成されており、図１〜３に示した包装材４０を形成するフィルム３０９の帯を示す図７に、第２の１対の切断ローラー３０６を離れた後の（図５の位置Ｐ４における）成形されたフィルム３０９の帯が示されている。包装材４０に形成されたＣ字形切断部３１２を見ると、直線状の切断部３１６は、フィルム３０９のＣ字形切断部の両端部３１８と交差して、開封帯４２ａ、４２ｂのタブ部４５ａ、４５ｂを確実に前の包装材４０から完全に分離させるが、この線状の切断部３１６は、完成した包装材４０のタブ部４５ａ、４５ｂ又は開封帯４２ａ、４２ｂが弱くなるのを避けるために、開封帯３１０ａ、３１０ｂの範囲内には延びていない。
【００４４】
切断されたフィルム３０９の帯が第２の１対の切断ローラー３０６を通過した後、このフィルム３０９の帯はさらなる１対の案内ローラー３０７を通過して包装部３０８に送り込まれ、ここで矢印Ｃ方向に喫煙品のパックが連続して供給され、各パックが末端の包装材４０の中央部に押し込まれることでタブ部領域３１７が断裂してこの包装材４０がフィルム３０９の帯から分離され、その後、パック１が包装材４０で包まれて密封される。
【００４５】
第２の刃付きローラー３０６ａは、フィルム３０９の帯の両縁部の近傍に非切断片領域３１７を残すように構成されているが、代わりに、直線状の切断部３１６はフィルム３０９の帯の両縁部まで全体に横断して延び、パック包装工程の前に個々の包装材４０を互いに完全に分離させてもよい。
【００４６】
各１対の切断ローラー３０５、３０６によってフィルム３０９の帯に切れ目が形成されると説明したが、代わりに、カムに取り付けられた刃とベアリング又はローラーの間にフィルム３０９の帯が通され、この刃が往復移動することで、通過するフィルム３０９の帯に沿って断続的に所望の切れ目が形成されるようにしてもよい。このような構成では、刃は、フィルムに切断部を打ち込む板に取り付けられてもよい。
【００４７】
各開封テープ３１０ａ、３１０ｂを別々のボビン３０２ａ、３０２ｂから供給する代わりに、単一のボビンから複数の開封テープが供給されることも考えられる。さらに、単一の幅広の開封テープ材料の帯が、この開封テープ材料を長手方向に切断して、その後にフィルムに供給してこのフィルムに付着させることができる所望の数の開封テープを形成することが可能なスプライシングローラー又は他の接合手段に供給されることも考えられる。
【００４８】
本明細書で用いられる用語「喫煙品」は、タバコ、タバコ派生物、膨張タバコ、再生タバコ又はタバコ代替品のいずれを基礎材料としているかにかかわらず、紙巻きタバコ、葉巻タバコ及びシガリロ等の喫煙することができる製品、並びに加熱するが燃焼させない製品を含む。喫煙品は、喫煙者によって吸引される気流用のフィルターを備えるものであってもよい。
【００４９】
タバコ産業製品とは、典型的には、ａ）紙巻きタバコ、シガリロ、葉巻タバコ、パイプ用又は手巻き式紙巻きタバコ用のタバコ（タバコ、タバコ派生物、膨張タバコ、再生タバコ又はタバコ代替品のいずれを基礎材料としているかにかかわらない）、ｂ）嗅ぎタバコ、スヌース、固形タバコ及び加熱するが燃焼させない製品等の、タバコ、タバコ派生物、膨張タバコ、再生タバコ又はタバコ代替品を組み込んだ非喫煙品、並びにｃ）吸入器、錠剤及びガム等の他のニコチン供給システムを含む、タバコ産業で製造又は販売されるあらゆる物品を指す。この品目は排他的なものではなく、単にタバコ産業で製造及び販売される製品の範囲を例示するものである。
【００５０】
種々の問題に対処して当業技術を向上させるために、本明細書の全体は、例として、特許請求の範囲に規定される１つ又は複数の発明が実施され、優れた包装材を提供することができる種々の実施形態を示す。本明細書に開示した利点及び特徴は、実施形態の代表的な例に過ぎず、非包括的且つ／又は非排他的なものである。これらは、特許請求の範囲に規定される原理の理解を助け、この原理を教示するために提示されているに過ぎない。当然のことながら、これらが特許請求の範囲に規定される全ての発明を代表するものではない。従って、本明細書に開示した特定の態様については、本明細書では説明していない。代替実施形態が本発明の特有の部分に示されていないかもしれないこと、あるいは、説明しなかったさらなる代替実施形態を一部に用いることができるかもしれないことは、それらの代替実施形態に関する権利の部分放棄と看做されるべきではない。それらの説明しなかった実施形態の多くは本発明の同じ原理を取り入れたものであり、それ以外のものは均等物であることが分かるであろう。従って、本明細書の開示の範囲及び／又は趣旨から逸脱することなく、他の実施形態を用いることができ、且つ変更を加えることができることを理解すべきである。そのため、全ての例、実施例及び／又は実施形態は、本明細書の全体を通じて非限定的なものと看做される。また、本明細書で説明したこれらの実施形態について、紙面及び繰り返しを削減することを目的としたもの以外で本明細書で説明しなかった実施形態と比較して、如何なる推定もすべきではない。種々の実施形態は、適宜、本明細書に開示された要素、成分、特徴、部分、工程、方法等の種々の組み合わせを備えてもよく、これらの組み合わせにより構成されてもよく、本質的にこれらの組み合わせにより構成されてもよい。開示された特徴、要素、実施例等のいくつかは、互いに矛盾し、それらが１つの実施形態に同時に存在することはできないかもしれない。同様に、いくつかの特徴は、本明細書に開示した１つの態様には適用できるが、他の態様には適用できない。さらに、本明細書は、現時点では特許請求の範囲に規定していない他の発明を含む。出願人は、現時点では特許請求の範囲に規定していないそれらの発明に対して、それらの発明を特許請求の範囲に規定する権利及び追加出願、継続出願、一部継続出願、分割出願等をする権利を含む全ての権利を有する。従って、本明細書に開示した利点、実施形態、例、機能、特徴、構造、及び／又は他の態様は、特許請求の範囲によって画定される本明細書の開示を限定するもの、又は特許請求の範囲の均等物を限定するものと看做されるべきでないことを理解すべきである。
【図１】
0005894302.tif 000002
【図２】
0005894302.tif 000003
【図３】
0005894302.tif 000004
【図４】
0005894302.tif 000005
【図５】
0005894302.tif 000006
【図６】
0005894302.tif 000007
【図７】
0005894302.tif 000008
【図８】
0005894302.tif 000009
【図９】
0005894302.tif 000010